(57)【要約】【課題】ビニールハウスの周囲に雑草が生えるのを防止するために敷くシートを、破損させることなく地面に固定するためのシートピン、パッド、および当該シートピントとパッドとからなる固定部材を提供する。【解決手段】固定部材を、ビニールシートや防草用シート２を、二本の脚片２２をその上から貫通させて地面Ｅに固定する略逆Ｕ字状のシートピン２０と、各脚片２２を挿通させる孔部３２を有し、シート２の上面に配置される遮蔽パッド３０とで構成する。そして、シートピン２０を、その上端部である頂片２１を水平直線状に設定して形成する。また、遮蔽パッド３０を、ゴム製または軟質樹脂製で平板状のパッド本体３１の所定箇所に、シートピン２０の脚片２２を挿通させる孔部３２を形成し、かつ、孔部３２をシートピン２０の脚片２２よりやや小径に設定して形成する。【選択図】      図７
2005229952.tif 000002
【特許請求の範囲】
【請求項１】
主として，ビニールハウス（１）の周囲に雑草（Ｗ）が生えるのを防止するために，該周囲に敷くビニールシートや防草用シート（２）を，二本の脚片（２２）をその上から貫通させて地面（Ｅ）に固定する略逆Ｕ字状のシートピンであって、その上端部である頂片（２１）を水平直線状に設定してなるシートピン。
【請求項２】
主として，ビニールハウス（１）の周囲に雑草（Ｗ）が生えるのを防止するために，該周囲に敷くビニールシートや防草用シート（２）を，略逆Ｕ字状のシートピン（２０）の二本の脚片（２２）をその上から貫通させて地面（Ｅ）に固定する際に，前記各脚片を挿通させ，前記シートの上面に配置されるパッドであって、ゴム製または軟質樹脂製で平板状のパッド本体（３１）の所定箇所に，前記シートピンを挿通させる孔部（３２）を形成し，かつ，前記孔部を前記シートピンの脚片よりやや小径に設定してなる遮蔽パッド。
【請求項３】
主として，ビニールハウス（１）の周囲に雑草（Ｗ）が生えるのを防止するために，該周囲に敷くビニールシートや防草用シート（２）を，二本の脚片（２２）をその上から貫通させて地面（Ｅ）に固定する略逆Ｕ字状のシートピン（２０）と，前記各脚片を挿通させる孔部（３２）を有し，前記シートの上面に配置される遮蔽パッド（３０）と、からなる固定部材であって、前記シートピンを，その上端部である頂片（２１）を水平直線状に設定して形成すると共に、前記遮蔽パッドを，ゴム製または軟質樹脂製で平板状のパッド本体（３１）の所定箇所に，前記シートピンの脚片を挿通させる孔部（３２）を形成し，かつ，前記孔部を前記シートピンの脚片よりやや小径に設定して形成してなる固定部材。
【発明の詳細な説明】
【技術分野】
【０００１】
本発明は、例えば、ビニールハウスの周辺に雑草が生えるのを防止するために敷くビニールシートや防草用シートを地面に固定する際に使用するシートピン、パッド、およびそのシートピントとパッドとからなる固定部材に関するものである。
【背景技術】
【０００２】
図１乃至図４を参照して説明する。ハウス栽培をする場合において、通常、そのビニールハウス１の周辺は野原であるため雑草Ｗが生え易い。そして、野原に雑草Ｗが繁茂すると、その種子がビニールハウス１内に飛散する等してビニールハウス１内にも雑草Ｗが生えてしまい、ハウス栽培に悪影響を与えてしまう。
【０００３】
従来から、こうした弊害を未然に防止するために、ビニールハウス１の周囲にビニールシートや防草用シート２を敷いて太陽光の照射を防止し、雑草が生えるのを阻止するといった手段がある。このシート２は、幅１〜３ｍで長さ５０〜１００ｍと大きく、風で吹き飛ばされないようにするために、多数の略逆Ｕ字状のシートピン４０（直径３〜５ｍｍ）を、シート２の上から打ち込んで地面Ｅに固定している。
【０００４】
また、このシートピン４０は略逆Ｕ字状であり、その上端部が円弧状に形成されているので、地面Ｅに打ち込んだままの状態ではその円弧部分４１が地面Ｅから突出し、その上を歩く人の爪先が引っ掛かって危険である（図２参照）。そのため、シートピン４０の円弧部分４１をさらに叩いて潰し、シート２の上から地面Ｅに没入させている（図３）。
【発明の開示】
【発明が解決しようとする課題】
【０００５】
しかし、上記した従来技術においては、シートピン４０の円弧部分４１を叩き潰して地面Ｅに没入させるので、その際のシートピン４０から伝わる衝撃等で、シート２のシートピン４０が貫通している部分が破れてしまい易い。そして、その破れた部分の地面Ｅには太陽光が照射するので、当該部分から雑草Ｗが生えてくるといった問題がある（図４参照）。
【０００６】
本発明はこうした問題に鑑み創案されたもので、例えば、ビニールハウスの周囲に雑草が生えるのを防止するために敷くビニールシートや防草用シート２を、破損させることなく地面Ｅに固定するためのシートピン、パッド、および当該シートピントとパッドとからなる固定部材を提供することを課題とする。
【課題を解決するための手段】
【０００７】
図１および図５乃至７を参照して説明する。請求項１に記載のシートピン２０は、主として、ビニールハウス１の周囲に雑草Ｗが生えるのを防止するために、該周囲に敷くビニールシートや防草用シート２を、二本の脚片２２をその上から貫通させて地面Ｅに固定する略逆Ｕ字状であって、その上端部である頂片２１を水平直線状に設定してなるものである。
【０００８】
請求項２に記載の遮蔽パッド３０は、主として、ビニールハウス１の周囲に雑草Ｗが生えるのを防止するために、該周囲に敷くビニールシートや防草用シート２を、略逆Ｕ字状のシートピン２０の二本の脚片２２をその上から貫通させて地面Ｅに固定する際に、前記各脚片２２を挿通させ、前記シート２の上面に配置されるパッドであって、ゴム製または軟質樹脂製で平板状のパッド本体３１の所定箇所に、前記シートピン２０を挿通させる孔部３２を形成し、かつ、前記孔部３２を前記シートピン２０の脚片２２よりやや小径に設定してなるものである。
【０００９】
請求項３に記載の固定部材１０は、主として、ビニールハウス１の周囲に雑草Ｗが生えるのを防止するために、該周囲に敷くビニールシートや防草用シート２を、二本の脚片２２をその上から貫通させて地面Ｅに固定する略逆Ｕ字状のシートピン２０と、前記各脚片２２を挿通させる孔部３２を有し、前記シート２の上面に配置される遮蔽パッド３０と、からなる固定部材であって、前記シートピン２０を、その上端部である頂片２１を水平直線状に設定して形成すると共に、前記遮蔽パッド３０を、ゴム製または軟質樹脂製で平板状のパッド本体３１の所定箇所に、前記シートピン２０の脚片２２を挿通させる孔部３２を形成し、かつ、前記孔部３２を前記シートピン２０の脚片２２よりやや小径に設定して形成してなるものである。
【発明の効果】
【００１０】
請求項１に記載のシートピン２０は、その上端部である頂片２１を水平直線状に設定したので、ビニールシートや防草用シート２を貫通して地面Ｅに打ち込んだ際に、その頂片２１の全体がシート２の上から地面Ｅに没入した状態となり、地面Ｅ上に突出しない。従って、従来のように円弧部分を叩き潰す必要がなく、また、それによってシート２を破損することもない。従って、当該破損部分から雑草Ｗが生えてくるといった事態を未然に防止することができる。
【００１１】
請求項２に記載の遮蔽パッド３０は、ゴム製または軟質樹脂製で平板状のパッド本体３１の所定箇所に、シートピン２０の脚片２２を挿通させる孔部３２を形成し、かつ、その孔部３２を脚片２２よりやや小径に設定したので、雑草Ｗの繁茂を確実に防止することができる。
【００１２】
すなわち、シートピン２０をビニールシートや防草用シート２の上から地面Ｅに打ち込んだ際に、シート２のシートピン２０脚片２２が貫通している部分が破れた場合でも、当該シート２の上面には遮蔽パッド３０が配置されているので、その破損部分はこの遮蔽パッド３０によって覆い隠される。従って、当該破損部分の地面Ｅに太陽光が照射せず、その結果、この破損部分に雑草Ｗが生えるのを確実に防止することができる。
【００１３】
また、ゴム製または軟質樹脂製で平板状のパッド本体３１の所定箇所に、前記シートピンを挿通させる孔部３１を形成し、且つ孔部３２をシートピン２０の脚片２２より小径である孔部３２を形成しているので、孔部３２は脚片２２によって密閉される。これにより、雑草Ｗの繁茂をさらに効果的に阻止することができる。
【００１４】
請求項３に記載の固定部材１０は、略逆Ｕ字状であるシートピン２０を、その頂片２１を水平直線状に設定して形成すると共に、遮蔽パッド３０を、ゴム製または軟質樹脂製のパッド本体３１に、シートピン２０の脚片２２より小径の孔部３２を形成したので、雑草Ｗが生えるのを確実に防止することができる。
【００１５】
すなわち、シートピン２０の頂片２１は水平直線状に設定されているので、シート２の上から地面Ｅに打ち込んだ状態で、当該頂片２１は地面Ｅに没入した状態となり、地面Ｅから突出しない。従って、従来のように円弧部分を叩き潰すといった作業を必要としないので、シート２は破れ難い。
【００１６】
また、シートピン２０の二本の脚片２２にはそれぞれ遮蔽パッド３０を装着するので、例え、シート２が破れたとしても、その部分は遮蔽パッド３０によって覆い隠される。また、この遮蔽パッド３０の孔部３２はシートピン２０の脚片２２より小径に設定されているので、孔部３２は脚片２２によって弾力的に拡径して当該脚片２２に密に弾接した状態となる。従って、脚片２２と孔部３２との間に隙間が発生しない。こうした理由によって、シート２の上から雑草Ｗが生えてくるといった事態を確実に防止することができる。
【００１７】
さらに、シートピン２０の頂片２１を水平直線状に設定したことによって、当該頂片２１が遮蔽パッド３０上面に、平行姿勢のまま、真上から、こねられることなく真っ直ぐに当接するので、遮蔽パッド３０は傾くことなく、シート２に弾接する。従って、遮蔽パッド３０とシート２の間には隙間が発生せず、これにより、雑草Ｗが生えるのをさらに確実に防止することができる。
【発明を実施するための最良の形態】
【００１８】
本発明に係る固定部材１０の実施形態を、図１および図５乃至図７に示す。この固定部材１０は、ビニールハウス１の周囲に雑草Ｗが生えるのを防止するために、その周囲に敷くビニールシートや防草用シート２を地面Ｅに固定するためのものであり、本発明に係るシートピン２０と遮蔽パッド３０とで構成される。
【００１９】
シートピン２０は、二本の脚片２２をシート２を上から貫通させて地中に埋入する略逆Ｕ字状であり、その上端部である頂片２１を水平直線状に設定している。また、二本の脚片２２はやや末広がり状に形成している。このシートピン２０は金属製で、約３ｍｍの外径を有し、その脚片２２の長さは１２０ｍｍ程度に、また頂片２１は３０ｍｍ程度に設定している。なお、このシートピン２０の脚片２２は、末広がり状に形成するのみでなく、頂片２１に対して直角または鋭角に形成することができる。
【００２０】
また、遮蔽パッド３０は、ゴム製（または軟質樹脂製）の円板状であるパッド本体３１の中央部に、シートピン２０を挿通させるための孔部３２を有している。この孔部３２は、シートピン２０よりやや小径の２ｍｍ程度に設定されている。なお、この遮蔽パッド３０の外径は限定されるものではないが、シートピン２０の二本の脚片２２に装着した際に相互に干渉しないような寸法（２０ｍｍ〜４０ｍｍ）に設定することが好ましく、本実施形態では、３０ｍｍ程度に設定している。また、遮蔽パッド３０の肉厚は、太陽光を十分に遮る程度に設定する必要があり、２ｍｍ〜３ｍｍ程度が好ましい。
【００２１】
本実施形態に係る固定部材１０は、シートピン２０の両脚片２２のそれぞれに遮蔽パッド３０を装着した状態で、かつ、末広がり状に形成されている二本の脚片２２を片手で挟持してほぼ平行姿勢に維持して地中に埋入し易くした状態で、頂片２１をハンマーで叩く。そして、その脚片２２をビニールシートや防草用シート２を貫通させて地中に埋入させ、頂片２１がシート２の上面に達するまで打ち込む。この打込みが終了した状態では、遮蔽パッド３０はシート２と頂片２１との間に強く挟まれた状態となる。
【００２２】
この状態において、頂片２１は水平直線状に形成されているので、シート２の上から地面Ｅに没入した状態となり、地面Ｅから突出しない。従って、爪先が引っ掛かることもなく、安全である。
【００２３】
また、シートピン２０の頂片２１は水平直線状であるので、従来のように円弧状部分を叩き潰す必要がなく、よって、シート２が破れ難い。そのため、太陽光を確実に遮断することができ、雑草Ｗが生えるのを確実に防止することができる。
【００２４】
さらに、遮蔽パッド３０を設け、その孔部３２をシートピン２０の脚片２２より小径に設定しているので、例え、シート２が破れても、その上を遮蔽パッド３０で完全に覆い隠すことができる。従って、雑草Ｗが生えるのをさらに確実に防止することができる。
【産業上の利用可能性】
【００２５】
本発明に係る遮蔽パッド３０および固定部材１０は、ビニールハウス１の周囲に敷くビニールシートや防草用シート２を固定するために使用するに限られず、ビニールハウス１の周囲以外においても同様に使用することができる。また、シート２のみでなく、例えば、マットやゴザといった他の敷物類を他の目的で敷く場合にも使用することができる。
【図面の簡単な説明】
【００２６】
【図１】ビニールハウスおよびその周囲に敷かれ、シートピンによって地面に固定されたシートを示す平面斜視図である。
【図２】従来例に係るシートピンを示す正面図である。
【図３】図２に示すシートピンの円弧部分を叩き潰した状態を示す正面図である。
【図４】従来例に係るシートピンの周囲から雑草が生えた状態を示す正面図である。
【図５】本発明に係るシートピンの実施形態を示すもので、（ａ）は正面図、（ｂ）は側面図である。
【図６】本発明に係る遮蔽パッドを示すもので、（ａ）は平面図、（ｂ）は正面図である。
【図７】本発明に係る固定部材を示すもので、（ａ）は正面図、（ｂ）は平面図である。
【符号の説明】
【００２７】
１        ビニールハウス
２        シート
１０      固定部材
２０      シートピン
２１      頂片
２２      脚片
３０      遮蔽パッド
３１      パッド本体
３２      孔部
４０      シートピン
４１      円弧部分
４２      脚片
Ｅ        地面
Ｗ        雑草
【図１】
2005229952.tif 000003
【図２】
2005229952.tif 000004
【図３】
2005229952.tif 000005
【図４】
2005229952.tif 000006
【図５】
2005229952.tif 000007
【図６】
2005229952.tif 000008
【図７】
2005229952.tif 000009